【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
（ａ）対象が息を吐き出しているときを感知することと、（ｂ）前記対象の呼気を支援するよう、前記感知に応答して、呼吸の呼気相の少なくとも一部の間に刺激を前記対象の胸部または腹部に送達することと、を含み、前記対象が人間以外の動物である、対象を治療する方法。
【請求項２】
前記刺激は、前記対象が息を吸い込んでいる間に送達されない、請求項１に記載の方法。
【請求項３】
前記対象が異常に高いＥＥＬＶを示す少なくとも１つの兆候または症状を有すると判定することをさらに含む、請求項１に記載の方法。
【請求項４】
前記対象がＣＯＰＤに罹患していると判定することをさらに含む、請求項１に記載の方法。
【請求項５】
前記刺激は、呼気の開始近くで送達される、請求項１に記載の方法。
【請求項６】
前記刺激は、セッション内の全てではないがいくつかの呼吸サイクル中に送達される、請求項１に記載の方法。
【請求項７】
前記方法は、対象の呼吸パターンまたは活動レベルを分析し、少なくとも部分的に前記分析に基づいて、１つ以上の刺激パラメータを調整することを含む、請求項１に記載の方法。
【請求項８】
前記対象は、挿管されるか、または最近抜管されている、請求項１に記載の方法。
【請求項９】
（ａ）対象が息を吐き出しているときを感知するために好適なセンサと、（ｂ）前記センサによって生成された信号に応答して、前記対象の呼吸の呼気相の少なくとも一部の間に、刺激を前記対象の胸部または腹部に送達するように適合されるデバイスと、を備える、装置。
【請求項１０】
前記刺激は、対象の呼気を支援するために効果的である、請求項９に記載の装置。
【請求項１１】
前記刺激は、前記刺激がない前記対象のＥＥＬＶと比較して、前記対象のＥＥＬＶの減少をもたらすために効果的である、請求項９に記載の装置。
【請求項１２】
前記センサは、ひずみゲージを備える、請求項９に記載の装置。
【請求項１３】
前記センサは、呼吸誘導プレチスモグラフィセンサまたは圧電センサを備える、請求項９に記載の装置。
【請求項１４】
前記センサは、前記対象の皮膚上に配置するために好適な接着パッチに組み込まれる、請求項９に記載の装置。
【請求項１５】
前記センサは、前記デバイスに物理的に接続される、請求項９に記載の装置。
【請求項１６】
前記センサは、前記デバイスと無線通信している、請求項９に記載の装置。
【請求項１７】
前記デバイスは、電気刺激を前記対象の呼気筋（複数可）のうちの１つ以上に送達するための手段を備える、請求項９に記載の装置。
【請求項１８】
前記デバイスは、腹筋刺激装置を備える、請求項９に記載の装置。
【請求項１９】
前記装置は、呼吸誘導プレチスモグラフィセンサまたは圧電センサと、腹筋刺激装置とを備える、請求項９に記載の装置。
【請求項２０】
前記デバイスは、前記下前胸部または腹部を機械的に圧迫するための手段を備える、請求項９に記載の装置。
【請求項２１】
前記センサ、前記デバイス、または両方は、衣服またはベルトに組み込まれる、請求項９に記載の装置。
【請求項２２】
前記センサおよび前記デバイスは、同一の衣服またはベルトに組み込まれる、請求項９に記載の装置。
【請求項２３】
前記デバイスは、膨張させられたときに前記対象の下前胸部または腹部を機械的に圧迫する膨張式区画を備える、請求項９に記載の装置。
【請求項２４】
電力供給をさらに備える、請求項９に記載の装置。
【請求項２５】
電力供給をさらに備え、前記電力供給は、前記デバイスに取り付けられる、請求項９に記載の装置。
【請求項２６】
対象が前記デバイスをオンまたはオフにすることを可能にする、制御ユニットをさらに備える、請求項９に記載の装置。
【請求項２７】
センサと、信号調節ユニットと、コントローラと、刺激装置とを備える、請求項９に記載の装置。
【請求項２８】
前記装置は、対象の呼吸パターンまたは活動レベルを分析し、少なくとも部分的に前記分析に基づいて、１つ以上の刺激パラメータを調整する、コントローラを備える、請求項９に記載の装置。
【請求項２９】
請求項９〜２８のいずれかに記載の装置を対象に提供することを含む、前記対象を治療する方法。
【請求項３０】
前記対象は、前記刺激がない場合に異常に高いＥＥＬＶを有する、請求項２９に記載の方法。
【請求項３１】
前記対象は、ＣＯＰＤに罹患している、請求項２９に記載の方法。
【請求項３２】
前記対象が異常に高いＥＥＬＶを示す少なくとも１つの兆候または症状を有すると判定することをさらに含む、請求項２９に記載の方法。
【請求項３３】
前記対象がＣＯＰＤに罹患していると判定することをさらに含む、請求項２９に記載の方法。
【請求項３４】
（ａ）対象が息を吐き出しているときを感知するために好適なセンサと、（ｂ）前記センサによって生成された信号に応答して、前記対象の呼吸の前記呼気相の少なくとも一部の間に、電気刺激を前記対象の呼気筋のうちの少なくともいくつかに送達するように適合されるデバイスであって、前記刺激は、前記対象の呼吸の前記呼気相の少なくとも一部の間に、前記筋肉（複数可）の収縮を引き起こすか、または増加させるために効果的である、デバイスと、を備える、装置。
【請求項３５】
前記センサは、呼吸誘導プレチスモグラフィセンサを備え、前記デバイスは、刺激を前記対象の腹筋のうちの少なくともいくつかに送達するように適合される、請求項３４に記載の装置。
【請求項３６】
前記センサ、デバイス、または両方は、衣服またはベルトに組み込まれる、請求項３４に記載の装置。
【請求項３７】
前記センサは、圧電センサを備え、前記デバイスは、刺激を前記対象の腹筋のうちの少なくともいくつかに送達するように適合される、請求項３４に記載の装置。
【請求項３８】
前記センサは、少なくとも外腹斜筋を刺激する、請求項３４に記載の装置。
【請求項３９】
前記装置は、２つ以上のモードで動作することが可能であり、少なくとも１つのモードは、前記センサによって生成された信号に応答して、前記対象によって感じられるのに十分であるが、呼息筋収縮に影響を及ぼすために効果的ではない、触刺激を送達することを含む、請求項３４に記載の装置。
【請求項４０】
前記触刺激のタイミングは、少なくとも特定の量を、または少なくとも特定の時間にわたって、吐き出すように前記対象に促すよう選択される、請求項３９に記載の装置。
【請求項４１】
（ａ）対象が息を吐き出しているときを感知するために好適なセンサと、（ｂ）前記センサによって生成された信号に応答して、前記対象の呼吸の前記呼気相の少なくとも一部の間に、電気刺激を前記対象の呼気筋のうちの少なくともいくつかに送達するように適合されるデバイスであって、前記刺激のうちの少なくともいくつかは、触刺激であり、前記触刺激の前記タイミングは、標的を満たすために十分に息を吐き出すように前記対象に促すよう選択される、デバイスと、を備える、装置。
【請求項４２】
前記標的は、少なくとも特定の量を、または少なくとも特定の期間にわたって、吐き出すことを含む、請求項４１に記載の装置。
【請求項４３】
前記装置は、少なくとも部分的に、１つ以上の前の呼吸サイクルにわたって前記対象の呼吸を分析することに基づいて、適切な刺激を判定する、コントローラを備える、請求項４１に記載の装置。
【請求項４４】
呼吸努力センサを備える、腹筋刺激ベルト。
【請求項４５】
前記呼吸努力センサは、圧電感知要素を備える、請求項４４に記載の腹筋刺激ベルト。
【請求項４６】
前記呼吸努力センサは、前記腹筋刺激ベルトの一体部分である、請求項４４に記載の腹筋刺激ベルト。
【請求項４７】
対象において増加した腹筋力を促進する方法であって、（ａ）対象が息を吸い込んでいるときを感知することと、（ｂ）前記感知に応答して、呼吸の前記吸気相の少なくとも一部の間に、前記対象の呼息筋のうちの少なくとも１つの収縮を刺激することと、を含み、前記対象が人間以外の動物である、方法。
【請求項４８】
それを必要としている対象の呼吸を支援する方法であって、（ａ）対象が息を吐き出しているときを感知するステップと、（ｂ）前記感知に応答して、呼吸の前記呼気相の少なくとも一部の間に、触刺激を前記対象に送達するステップであって、前記触刺激は、前記対象の呼息筋の前記収縮のタイミングについて前記対象を支援する手掛かりとしての機能を果たす、ステップと、を含み、前記対象が人間以外の動物である、方法。
【請求項４９】
前記対象は、前記刺激を感じ続けている間に、息を吐き出し続けるか、または前記呼息筋を収縮させ続けるように指示されている、請求項４８に記載の方法。
【請求項５０】
前記方法は、少なくとも部分的に、１つ以上の前の呼吸サイクルにわたって前記対象の呼吸を分析することに基づいて、触刺激または呼気中に１つ以上の呼息筋の収縮を刺激する刺激を送達するかどうかを判定することを含む、請求項４８に記載の方法。